(57)【要約】【課題】簡単な操作でトイレットペーパーの装着並びに保持ができること。また、結合部分の周縁が互いに食み出さず、外観上の美観を損なわないこと。【解決手段】自由端部に第１磁石を備えた第１傾斜面を有する水平固定腕と、前記第１傾斜面に対面すると共に、第２磁石を備えた第２傾斜面を有する可動腕とを、前記第１又は第２傾斜面のいずれかに固定した中心軸を介して一体的に組み合わせ、前記水平固定腕にトイレットペーパーを装着した後に、前記可動腕を直交状態になるまで回動すると、前記第２磁石が第１磁石の極性に対応して吸着することを特徴とするトイレットペーパーの片持ち支持棒。【選択図】  図５
2004290578.tif 000002
【特許請求の範囲】
【請求項１】
壁面に固定されかつ自由端部に第１磁石を備えた第１傾斜面を有する水平固定腕と、前記第１傾斜面に対面すると共に、第２磁石を備えた第２傾斜面を有する可動腕とを、前記第１又は第２傾斜面のいずれかに固定した中心軸を介して一体的に組み合わせ、前記水平固定腕にトイレットペーパーを装着した後に、前記可動腕を直交状態になるまで回動すると、前記第２磁石が第１磁石の極性に対応して吸着することを特徴とするトイレットペーパーの片持ち支持棒。
【請求項２】
請求項１に於いて、第１又は第２傾斜面のいずれか一方に複数個の磁石が設けられていることを特徴とするトイレットペーパーの片持ち支持棒。
【請求項３】
壁面に固定されかつ自由端部に第１傾斜面を有する水平固定腕と、前記第１傾斜面に対面する第２傾斜面を有する可動腕とを、前記第１又は第２傾斜面のいずれかに固定した中心軸を介して一体的に組み合わせ、また、前記第１傾斜面又は第２傾斜面のいずれかに、他方側の傾斜面の係合穴２２に係脱する係合部２１ｂを有すると共に弾性変形復帰機能を有する係止手段２１を設け、前記水平固定腕にトイレットペーパーを装着した後に、前記可動腕を第１及び第２傾斜面に規制されるように直交状態になるまで回動すると、前記係止手段２１の係合部２１ｂが、前記係合穴２２に係合することを特徴とするトイレットペーパーの片持ち支持棒。
【請求項４】
壁面に固定されかつ自由端部に第１傾斜面を有する水平固定腕と、前記第１傾斜面に対面する第２傾斜面を有する可動腕とを、前記第１又は第２傾斜面のいずれかに固定した中心軸を介して一体的に組み合わせ、また、前記第１傾斜面又は第２傾斜面のいずれかに、他方側の傾斜面の係合穴２５に係脱する係合体２４ｂと、該係合体を付勢するバネ部材２４ａとから成る係止手段２４を設け、前記水平固定腕にトイレットペーパーを装着した後に、前記可動腕を第１及び第２傾斜面に規制されるように直交状態になるまで回動すると、前記係止手段２４の係合体２４ｂが、前記係合穴２５に係合することを特徴とするトイレットペーパーの片持ち支持棒。
【請求項５】
壁面に固定されかつ自由端部の第１傾斜面の中心部にメスホック部を有する水平固定腕と、前記第１傾斜面に対面する第２傾斜面の中心部にオスホック部を有する可動腕とを、前記メスホック部とオスホック部とを介して一体的に組み合わせ、また前記第１傾斜面のメスホック部を基準として内側に位置する第１係合突起と外側に位置する第２係合突起とを設け、一方、前記第２傾斜面のオスホック部を基準として、その同心円上に前記第１係合突起３６を案内する内側案内規制部と前記第２係合突起３７を案内する外側案内規制部とを形成し、前記水平固定腕にトイレットペーパーを装着した後に、前記可動腕を第１及び第２傾斜面に規制されるように直交状態又は水平状態になるまで回動すると、前記第１・第２の係合突起が対応する内側・外側の案内規制部の端部にそれぞれ選択的に係止されることを特徴とするトイレットペーパーの片持ち支持棒。
【請求項６】
請求項５に於いて、メスホック部、第１及び第２の係合突起は、第１傾斜面に形成された嵌合凹所に嵌合する第１嵌合板の表面に形成され、一方、オスホック部、内側及び外側の案内規制部は、第２傾斜面に形成された嵌合凹所に嵌合する第２嵌合板の表面に形成されていることを特徴とするトイレットペーパーの片持ち支持棒。
【請求項７】
壁面に固定されかつ自由端部の第１傾斜面の中心部に被係合部３５Ａを有する水平固定腕と、前記第１傾斜面に対面する第２傾斜面の中心部に係合突起軸３８Ａを有する可動腕とを、前記被係合部３５Ａと係合突起軸３８Ａとを介して一体的に組み合わせ、また前記第１傾斜面の被係合部３５Ａを基準として外側の適宜位置に小係合鍔を有する係合手段４５を設け、一方、前記第２傾斜面の係合突起軸３８Ａを基準として、その同心円上に前記係合手段を案内する半円弧状の案内規制部４６を形成し、前記水平固定腕にトイレットペーパーを装着した後に、前記可動腕を第１及び第２傾斜面に規制されるように直交状態又は水平状態になるまで回動すると、前記係合手段の小係合鍔は、前記案内規制部４６の両端部に選択的に係止されることを特徴とするトイレットペーパーの片持ち支持棒。
【請求項８】
請求項７に於いて、第２傾斜面の案内規制部の両端部に円形部４７，４７を連通状態に形成し、これらの円形部４７内には、係止リング４８ａ，４８ｂをそれぞれ固定的に設け、水平固定腕にトイレットペーパーを装着した後に、可動腕を第１及び第２傾斜面に規制されるように直交状態又は水平状態になるまで回動すると、係合手段４５の小係合鍔４５ｂは、前記係止リングに選択的に係止されることを特徴とするトイレットペーパーの片持ち支持棒。
【請求項９】
請求項７又は請求項８に於いて、被係合部３５Ａ、係合手段４５は、第１傾斜面に形成された嵌合凹所に嵌合する第１嵌合板の表面に形成され、一方、係合突起軸３８Ａ、案内規制部４６、円形部４７は、第２傾斜面に形成された嵌合凹所に嵌合する第２嵌合板の表面に形成されていることを特徴とするトイレットペーパーの片持ち支持棒。
【請求項１０】
少なくとも壁面に固定される片持ち式支持板と、この支持板に一端部が固定的に取付けられたトイレットペーパーの片持ち支持棒とから成り、前記片持ち支持棒は、自由端部に第１磁石を備えた第１傾斜面を有する水平固定腕と、前記第１傾斜面に対面すると共に、第２磁石を備えた第２傾斜面を有する可動腕とを、前記第１又は第２傾斜面のいずれかに固定した中心軸を介して一体的に組み合わせ、前記水平固定腕にトイレットペーパーを装着した後に、前記可動腕を直交状態になるまで回動すると、前記第２磁石が第１磁石の極性に対応して吸着することを特徴とするトイレットペーパーホルダー。
【請求項１１】
少なくとも壁面に固定される片持ち式支持板と、この支持板に一端部が固定的に取付けられたトイレットペーパーの片持ち支持棒とから成り、前記片持ち支持棒は、自由端部に第１傾斜面を有する水平固定腕と、前記第１傾斜面に対面する第２傾斜面を有する可動腕とを、前記第１又は第２傾斜面のいずれかに固定した中心軸を介して一体的に組み合わせ、また、前記第１傾斜面又は第２傾斜面のいずれかに、他方側の傾斜面の係合穴２２に係脱する係合部２１ｂを有すると共に弾性変形復帰機能を有する係止手段２１を設け、前記水平固定腕にトイレットペーパーを装着した後に、前記可動腕を第１及び第２傾斜面に規制されるように直交状態になるまで回動すると、前記係止手段２１の係合部２１ｂが、前記係合穴２２に係合することを特徴とするトイレットペーパーホルダー。
【請求項１２】
少なくとも壁面に固定される片持ち式支持板と、この支持板に一端部が固定的に取付けられたトイレットペーパーの片持ち支持棒とから成り、前記片持ち支持棒は、自由端部に第１傾斜面を有する水平固定腕と、前記第１傾斜面に対面する第２傾斜面を有する可動腕とを、前記第１又は第２傾斜面のいずれかに固定した中心軸を介して一体的に組み合わせ、また、前記第１傾斜面又は第２傾斜面のいずれかに、他方側の傾斜面の係合穴２５に係脱する係合体２４ｂと、該係合体を付勢するバネ部材２４ａとから成る係止手段２４を設け、前記水平固定腕にトイレットペーパーを装着した後に、前記可動腕を第１及び第２傾斜面に規制されるように直交状態になるまで回動すると、前記係止手段２４の係合体２４ｂが、前記係合穴２５に係合することを特徴とするトイレットペーパーホルダー。
【請求項１３】
少なくとも壁面に固定される片持ち式支持板と、この支持板に一端部が固定的に取付けられたトイレットペーパーの片持ち支持棒とから成り、前記片持ち支持棒は、自由端部の第１傾斜面の中心部にメスホック部を有する水平固定腕と、前記第１傾斜面に対面する第２傾斜面の中心部にオスホック部を有する可動腕とを、前記メスホック部とオスホック部とを介して一体的に組み合わせ、また前記第１傾斜面のメスホック部を基準として内側に位置する第１係合突起と外側に位置する第２係合突起とを設け、一方、前記第２傾斜面のオスホック部を基準として、その同心円上に前記第１係合突起３６を案内する内側案内規制部と前記第２係合突起３７を案内する外側案内規制部とを形成し、前記水平固定腕にトイレットペーパーを装着した後に、前記可動腕を第１及び第２傾斜面に規制されるように直交状態又は水平状態になるまで回動すると、前記第１・第２の係合突起が対応する内側・外側の案内規制部の端部にそれぞれ選択的に係止されることを特徴とするトイレットペーパーホルダー。
【請求項１４】
少なくとも壁面に固定される片持ち式支持板と、この支持板に一端部が固定的に取付けられたトイレットペーパーの片持ち支持棒とから成り、前記片持ち支持棒は、傾斜面の中心部に係合突起軸３８Ａを有する可動腕とを、前記被係合部３５Ａと係合突起軸３８Ａとを介して一体的に組み合わせ、また前記第１傾斜面の被係合部３５Ａを基準として外側の適宜位置に小係合鍔を有する係合手段４５を設け、一方、前記第２傾斜面の係合突起軸３８Ａを基準として、その同心円上に前記係合手段を案内する半円弧状の案内規制部４６を形成し、前記水平固定腕にトイレットペーパーを装着した後に、前記可動腕を第１及び第２傾斜面に規制されるように直交状態又は水平状態になるまで回動すると、前記係合手段の小係合鍔は、前記案内規制部４６の両端部に選択的に係止されることを特徴とするトイレットペーパーホルダー。
【発明の詳細な説明】
【０００１】
【発明の属する技術分野】
本発明は、トイレットペーパーの片持ち支持棒及びトイレットペーパーホルダーに関する。
【０００２】
【従来の技術】
この種のトイレットペーパーホルダーの一例は、特開２００１−７８９２１（Ｐ２００１−７８９２１Ａ）に記載されている。この公報に記載の実施例は、「ロールペーパーを回動自在に支持する心棒を片持ち状にし（本発明の「片持ち支持棒」のこと。）、この心棒の自由端側からロールペーパーの着脱がなされ、紙切り板のロールペーパーを着脱する側の端部には、ロールペーパーの横方向への移動防止用の脱落防止板（垂直壁）が設けられている。
【０００３】
上記構成に於いては、ロールペーパー（トイレットペーパーと同義）の脱落を防止することができるという利点があるものの、トイレットペーパーホルダーの紙切り板をシンプルな形状にすることはではない、該紙切り板を完全に持ち上げるようにしないとロールペーパーを容易に装着することができない、紙切り板を有しないシンプルな構造のトイレットペーパーホルダーに適用ができない等の問題点があった。
【０００４】
【発明が解決しようとする課題】
本発明の第１の目的は、紙切り板を有しないシンプルな構造のトイレットペーパーホルダーにも適用することができること。第２の目的は、簡単な操作でトイレットペーパーの装着並びに保持ができること。第３の目的は、水平固定腕と回動腕とを合理的な構造で一体的に結合すること。第４の目的は、水平固定腕の自由端部に水平状態に結合された回動腕を水平固定腕に対して直交状態になるように回転することができること。これにより、互いの傾斜面（ジョイント部分）の周縁が食み出さないように対向或いは接合し、外観上の美観を損なわないようにすることができることである。
【０００５】
【課題を解決するための手段】
本発明のトイレットペーパーの片持ち支持棒は、壁面に固定されかつ自由端部に第１磁石を備えた第１傾斜面を有する水平固定腕と、前記第１傾斜面に対面すると共に、第２磁石を備えた第２傾斜面を有する可動腕とを、前記第１又は第２傾斜面のいずれかに固定した中心軸を介して一体的に組み合わせ、前記水平固定腕にトイレットペーパーを装着した後に、前記可動腕を直交状態になるまで回動すると、前記第２磁石が第１磁石の極性に対応して吸着することを特徴とする。
【０００６】
また、本発明のトイレットペーパーの片持ち支持棒は、壁面に固定されかつ自由端部に第１傾斜面を有する水平固定腕と、前記第１傾斜面に対面する第２傾斜面を有する可動腕とを、前記第１又は第２傾斜面のいずれかに固定した中心軸を介して一体的に組み合わせ、また、前記第１傾斜面又は第２傾斜面のいずれかに、他方側の傾斜面の係合穴２２に係脱する係合部２１ｂを有すると共に弾性変形復帰機能を有する係止手段２１を設け、前記水平固定腕にトイレットペーパーを装着した後に、前記可動腕を第１及び第２傾斜面に規制されるように直交状態になるまで回動すると、前記係止手段２１の係合部２１ｂが、前記係合穴２２に係合することを特徴とする。
【０００７】
また、本発明のトイレットペーパーの片持ち支持棒は、壁面に固定されかつ自由端部に第１傾斜面を有する水平固定腕と、前記第１傾斜面に対面する第２傾斜面を有する可動腕とを、前記第１又は第２傾斜面のいずれかに固定した中心軸を介して一体的に組み合わせ、また、前記第１傾斜面又は第２傾斜面のいずれかに、他方側の傾斜面の係合穴２５に係脱する係合体２４ｂと、該係合体を付勢するバネ部材２４ａとから成る係止手段２４を設け、前記水平固定腕にトイレットペーパーを装着した後に、前記可動腕を第１及び第２傾斜面に規制されるように直交状態になるまで回動すると、前記係止手段２４の係合体２４ｂが、前記係合穴２５に係合することを特徴とする。
【０００８】
また、本発明のトイレットペーパーの片持ち支持棒は、壁面に固定されかつ自由端部の第１傾斜面の中心部にメスホック部を有する水平固定腕と、前記第１傾斜面に対面する第２傾斜面の中心部にオスホック部を有する可動腕とを、前記メスホック部とオスホック部とを介して一体的に組み合わせ、また前記第１傾斜面のメスホック部を基準として内側に位置する第１係合突起と外側に位置する第２係合突起とを設け、一方、前記第２傾斜面のオスホック部を基準として、その同心円上に前記第１係合突起３６を案内する内側案内規制部と前記第２係合突起３７を案内する外側案内規制部とを形成し、前記水平固定腕にトイレットペーパーを装着した後に、前記可動腕を第１及び第２傾斜面に規制されるように直交状態又は水平状態になるまで回動すると、前記第１・第２の係合突起が対応する内側・外側の案内規制部の端部にそれぞれ選択的に係止されることを特徴とする。
【０００９】
また、本発明のトイレットペーパーの片持ち支持棒は、壁面に固定されかつ自由端部の第１傾斜面の中心部に被係合部３５Ａを有する水平固定腕と、前記第１傾斜面に対面する第２傾斜面の中心部に係合突起軸３８Ａを有する可動腕とを、前記被係合部３５Ａと係合突起軸３８Ａとを介して一体的に組み合わせ、また前記第１傾斜面の被係合部３５Ａを基準として外側の適宜位置に小係合鍔を有する係合手段４５を設け、一方、前記第２傾斜面の係合突起軸３８Ａを基準として、その同心円上に前記係合手段を案内する半円弧状の案内規制部４６を形成し、前記水平固定腕にトイレットペーパーを装着した後に、前記可動腕を第１及び第２傾斜面に規制されるように直交状態又は水平状態になるまで回動すると、前記係合手段の小係合鍔は、前記案内規制部４６の両端部に選択的に係止されることを特徴とする。
【００１０】
そして、本発明のトイレットペーパーホルダーは、少なくとも壁面に固定される片持ち式支持板と、この支持板に一端部が固定的に取付けられたトイレットペーパーの片持ち支持棒とから成り、主要部である片持ち支持棒Ｘ〜Ｘ４をそれぞれ含んでいることを特徴とする。
【００１１】
【発明の実施の形態】
図１乃至図６は、トイレットペーパーの片持ち支持棒Ｘと、該片持ち支持棒Ｘを主要部とするトイレットペーパーホルダーＹである（Ｘ，Ｙを、説明の便宜上、第１実施例とする）。
【００１２】
まず、図１を参照にしてトイレットペーパーホルダーＹを説明する。１は図示しない建物の内壁面に取付けられる取付け板で、この取付け板１の隅角部には、固着具用の貫通小孔２がそれぞれ形成されている。３は取付け板１の一端上縁部に突設された軸受け部である。４は取付け板１の他端に直交する片持ち式支持板で、この支持板４及び前記取付け板の軸受け部３の対向する部位には、小さな軸孔５，５がそれぞれ形成されている。６は前記軸孔５，５に係合するピン状突起軸７，７を有するカバー状の紙切板である。紙切板６の先端部は弧状に折り曲げ形成されている。
【００１３】
したがって、本実施例のトイレットペーパーホルダーＹは、普通一般に使用されている周知の構造体である。第１実施例の片持ち支持棒Ｘ（他の実施例も同様）は、トイレットペーパーホルダーＹの片持ち式支持板４に嵌合固定、螺着固定、ビス止め等により固定的に取付けられている。
【００１４】
なお、本発明の片持ち支持棒Ｘを主要部とするトイレットペーパーホルダーＹは、最低限、壁面に固定される片持ち式支持板（或いは片持ち式支持アーム）と、この片持ち式支持板に水平状態に固定（或いは連設）する片持ち支持棒Ｘ（他の実施例Ｘ１〜Ｘ４）とから成る構成であっても良い。
【００１５】
次に、図２及び図３を参照にして片持ち支持棒Ｘを説明する。８はトイレットペーパーＺの側端面から突出する自由端部９に、第１磁石１０ａ，１０ｂを備えた第１傾斜面１１を有する水平固定腕である。第１傾斜面１１の傾斜角度は、図２を基準にすると、略４５度である。また第１磁石１０ａ，１０ｂは、例えばＮ極であり、第１傾斜面１１の上下中央部の小凹所１２，１２にそれぞれ１個ずつ埋設されている。
【００１６】
１３は第１傾斜面１１の中央部に固定的に設けられた中心軸である。この中心軸１３は、比較的短く、第１傾斜面１１に対して直角に植立している。中心軸１３は、オネジの有無を問わないが、本実施例では後述する可動腕１５が簡単に抜けない手段として短杆状のオネジを採用している。
【００１７】
１５は前記第１傾斜面１１に対面すると共に、第２磁石１６を備えた第２傾斜面１７を有する可動腕である。可動腕１５と水平固定腕８は、前記第１又は第２傾斜面１１，１７のいずれかに固定した中心軸１３を介して一体的に組み合わせ（嵌合、又は螺着）可能である。
【００１８】
本実施例では、螺杆の中心軸１３は、前述したように水平固定腕８側に固定してあるので、可動腕１５の第２傾斜面１７の中心部には、中心軸１３が螺合するメネジとしての中心穴１８が形成されている。また、前記第２磁石１６は、Ｓ極であり、第２傾斜面１７の上方中央部の小凹所１９に１個埋設されている。したがって、Ｓ極の第２磁石１６は、Ｎ極の第１磁石１０ａ，１０ｂに対面すると、その極性に対応して吸着する。
【００１９】
図４〜図６を参照にして、トイレットペーパーホルダーＹにトイレットペーパーＺを装着する場合について説明する。まず、図４で示すように、紙切板６を上方に持ち上げた後、トイレットペーパーＺを片持ち支持棒Ｘに装着する。この時可動腕１５は、水平固定腕８に対して、トイレットペーパーＺを自由に装着できる水平状態になっている。
【００２０】
したがって、可動腕１５の第２傾斜面１７の傾斜角度は、図４又は図５を基準にすると、１８０度−略４５度＝１３５度である。図５の水平状態の説明図では、可動腕１５の第２磁石１６は、水平固定腕８の上方中央部の第１磁石１０ａに吸着している。トイレットペーパーＺを、その側端面から水平固定腕８の自由端部９が突出する所まで装着したならば、可動腕１５を指で摘んで上方方向へと回動する。図５の中間の図は、回動の中途状態（例えば４５度の位置）の説明図である。
【００２１】
上記のように、水平固定腕８にトイレットペーパーＺを装着した後に、可動腕１５を第１及び第２傾斜面に規制されるようにして回動すると、やがて可動腕１５は水平固定腕８に対して直交状態になる。そうすると、可動腕１５の第２磁石１６は、今度は水平固定腕８の下方中央部の第１磁石１０ｂに吸着する（吸着状態も含む）。それと同時に、第１及び第２傾斜面１１，１７の周縁部は、互いに完全に合致した面接触の状態となる（微妙な間隙がある面接触的状態も含む）。
【００２２】
したがって、図６で示すように、トイレットペーパーＺは、片持ち支持棒Ｘの水平固定腕８に支持され、かつ、水平固定腕８に対して直交状態となった可動腕１５に規制（保持）されるから、回転しても片持ち支持棒Ｘから脱落しない。
【００２３】
【実施例】
第１実施例に於いて、片持ち支持棒の中心軸１３は、螺杆でなくても良い。また、磁石の大きさや数は特に限定するものではないが、望ましくは、回動腕１５が水平状態の時と直交状態の時に、互いに対向する磁石同士が吸着するように構成する。
【００２４】
なお、本実施例の片持ち支持棒Ｘ〜Ｘ４の水平固定腕８は、これに連設する垂直固定腕、水平取付け腕等を介して建物の壁面に直接又は間接的に固定される。
【００２５】
次に図７乃至図１４は、トイレットペーパーＺの片持ち支持棒Ｘ１〜Ｘ４の各実施例を示す。なお、他の実施例の説明にあたって、第１実施例と同一の部分には、同一又は同様の符号を付して重複する説明を省略する。
【００２６】
図７及び図８に示す片持ち支持棒Ｘ１の第２実施例に於いて、第１実施例と主に異なる点は、水平固定腕８の第１傾斜面１１及び可動腕１５の第２傾斜面１７にそれぞれ設けた磁石１０ａ，１０ｂ，１６を、弾性変形復帰機能を有する係止手段２１に代えたことである。
【００２７】
すなわち、前記第１傾斜面１１の上方中央部の小凹所１２Ａに係止手段２１を組み込み、一方、前記第２傾斜面１７の上方中央部と下方中央部に、前記係止手段２１に選択的に係合する半球状の係合穴２２を形成している。
【００２８】
しかして、前記係止手段２１は、端面チャンネル形状の樹脂バネ２１ａと、この樹脂バネ２１ａの対向腕の一端部外壁面に突設された球体状係合部２１ｂとから成る。係止手段２１の球体状係合部２１ｂは、第１傾斜面１１から常時突出するように組み込まれている。
【００２９】
上記構成に於いて、係止手段２１の係合部２１ｂは、可動腕１５が水平固定腕８に対して水平状態又は直交（垂直）状態の時には、第２傾斜面１７の上方中央部と下方中央部のいずれかの係合穴２２に係合する。
【００３０】
一方、水平固定腕８に対して可動腕１５を垂直方向或いは水平方向へと回した時には、所定の位置（直交状態又は水平状態）になるまでは、樹脂バネ２１ａの対向腕は材質自体のバネ力に抗して変位するので、係合部２１ｂは、前記係合穴２２から抜けた状態となる。したがって、このように構成しても、第１実施例と同一の目的を達成することができる。
【００３１】
なお、第２実施例に於いて、係合穴２２を水平固定腕８の第１傾斜面１１に、一方、係止手段２１を可動腕１５の第２傾斜面１７にそれぞれ設けても良い（位置を逆にしても良い）。また、係止手段２１は１個であるが、第１・第２傾斜面の上方中央部と下方中央部の両方に設けても良い。
【００３２】
図９及び図１０に示す片持ち支持棒Ｘ２の第３実施例に於いて、第１実施例と主に異なる点は、水平固定腕８の第１傾斜面１１及び可動腕１５の第２傾斜面１７にそれぞれ設けた磁石１０ａ，１０ｂ，１６を、前記第２実施例と同様に係止手段２４に代えたことである。すなわち、前記第１傾斜面１１の上方中央部（又は／及び中央部下方）の小凹所１２Ｂに係止手段２４を組み込み、一方、前記第２傾斜面１７の上方中央部と下方中央部に、前記係止手段２１に選択的に係合する半球状の係合穴２５を形成している。
【００３３】
しかして、前記係止手段２４は、バネ部材としてのコイルスプリング２４ａと、このコイルスプリング２４ａに突出方向へと常時付勢された球状係合体２４ｂとから成る。
【００３４】
上記構成に於いて、係止手段２４の球状係合体２４ｂは、可動腕１５が水平固定腕８に対して水平状態又は直交（垂直）状態の時には、第２傾斜面１７の上方中央部と下方中央部のいずれかの係合穴２５に係合する。
【００３５】
一方、水平固定腕８に対して可動腕１５を垂直方向或いは水平方向へと回した時には、所定の状態（直交状態又は水平状態）になるまでは、球状係合体２４ｂは、コイルスプリング２４ａのバネ力に抗して後退するので、前記係合穴２５から抜けた状態となる。したがって、このように構成しても、第１実施例と同一の目的を達成することができる。なお、第３実施例に於いても、係止手段２４と係合穴２５との位置を互いに変え、又は／及び係止手段２４を複数個にしても良い。
【００３６】
図１１及び図１２に示す片持ち支持棒Ｘ３の第４実施例に於いて、第１実施例と主に異なる点は、水平固定腕８の第１傾斜面１１及び可動腕１５の第２傾斜面１７のいずれかに固定した中心軸１３をオスホックとメスホック型の係合関係に代えたこと、また、磁石１０ａ，１０ｂ，１６を複数個の係合部と周方向の被係合部との係合関係に代えたことである。
【００３７】
すなわち、符号３１は、前記第１傾斜面１１に形成した真円，楕円，多角形等の嵌合凹所、３２は該嵌合凹所３１に固定的に嵌合する第１嵌合板、一方、３３は前記第２傾斜面１７に形成した真円，楕円，多角形等の嵌合凹所、３４は該嵌合凹所３３に嵌合する第２嵌合板である。しかして、第１嵌合板３２の表面の中心部には、メスホック部３５が突出形成されている。また、第１嵌合板３２の表面には、メスホック部３５を基準として、内側の第１係合突起３６と外側の第２係合突起３７とがそれぞれ設けられている。
【００３８】
これに対して第２嵌合板３４の表面の中心部には、オスホック部３８が突出形成されている。また、第２嵌合板３４の表面には、オスホック部３８を基準として、その同心円上に前記第１係合突起３６を案内する内側案内規制部（溝や孔）３９と前記第２係合突起３７を案内する外側案内規制部（溝や孔）４０とが形成されている。
【００３９】
ところで、前記メスホック部３５の内周壁には、例えば周溝４１が形成されている。また、前記弾性変形復帰機能を有するオスホック部３８の先端部は多少フランジ４２状に形成されていると共に、その先端から軸方向に複数本のスリット４３が形成されている。
【００４０】
上記構成に於いて、水平固定腕８にトイレットペーパーＺを装着した後に、可動腕１５を第１及び第２傾斜面１１，１７に規制されるように直交状態又は水平状態になるまで回動すると、前記第１・第２の係合突起３６，３７が対応する内側・外側の案内規制部３８，３９の端部にそれぞれ選択的に係止される。このように構成しても、第１実施例と同一の目的を達成することができる。
【００４１】
なお、第４実施例に於いても、メスホック部３５、オスホック部３８等の位置を逆にしても良い。また、第１及び第２の傾斜面に嵌合凹所３１，３３を形成しないで、嵌合板３２，３４を直接固定しても良い。さらには、前記嵌合凹所３１，３３と嵌合板３２，３４を用いないで、第１及び第２の傾斜面１１，１７に、直接メスホック部３５、オスホック部３８等をそれぞれ設けても良い。
【００４２】
要は、水平固定腕８と可動腕１５とをメスホック部３５、オスホック部３８との係合関係で一体的に結合し、かつ、可動腕１５が案内溝の各端部に係止された所定の位置（直交位置又は水平位置）で停止すれば良い。
【００４３】
図１３及び図１４に示す片持ち支持棒Ｘ４の第５実施例に於いて、第１実施例と主に異なる点は、水平固定腕８の第１傾斜面１１及び可動腕１５の第２傾斜面１７のいずれかに固定した中心軸１３を被係合部と係合突起軸の係合関係に代えたこと、また、磁石１０ａ，１０ｂ，１６を突出先端部に係合鍔を有する係合手段と、この係合手段を案内・係止する係合溝手段との係合関係に代えたことである。
【００４４】
なお、この第５実施例は、前記第４実施例の設計変更例なので、説明の便宜上、同一の構成部分に関しては、第４実施例と同一の用語と同様の符号を用いることにする。
【００４５】
すなわち、符号３１Ａは、前記第１傾斜面１１に形成した円形又は多角形の嵌合凹所、３２Ａはこの嵌合凹所３１Ａに固定的に嵌合する第１嵌合板、一方、３３Ａは前記第２傾斜面１７に形成した円形又は多角形の嵌合凹所、３４Ａはこの嵌合凹所３３Ａに嵌合する第２嵌合板である。
【００４６】
しかして、第１嵌合板３２Ａの表面の中心部には、メスホック状の被係合部３５Ａが突出形成されている。また、第１嵌合板３２Ａの表面には、被係合部３５Ａを基準として、外側の適宜位置に係合手段４５が突設されている。この係合手段４５は、短杆部４５ａと、この短杆部４５ａの先端部に設けられた小係合鍔４５ｂとから成る。
【００４７】
これに対して第２嵌合板３４Ａの表面の中心部には、オスホック状の係合突起軸３８Ａが突出形成されている。また、第２嵌合板３４Ａの表面には、係合突起軸３８Ａを基準として、その同心円上に前記係合手段４５を案内する案内規制部（溝や孔）４６と、この案内規制溝４６の両端部にそれぞれ連通する円形部（溝や孔）４７，４７とが形成されている。
【００４８】
ところで、前記円形部４７，４７には、合成樹脂製のＣ型係止リング４８ａ，４８ｂが内側に間隙を設けて固定的に嵌め込まれている。これらの係止リング４８ａ，４８ｂは、半円弧状の案内規制部４６に、その切欠部が向き合っている。
【００４９】
上記構成に於いて、水平固定腕８にトイレットペーパーＺを装着した後に、可動腕１５を第１及び第２傾斜面１１，１７に規制されるように直交状態になるまで回動すると、前記係合手段４５は半円弧状の案内規制部４６に案内された後に、上方の係止リング４８ａに係止される。この時、係合手段４５の小係合鍔４５ｂは係止リング４８ａの内側に潜り込む。
【００５０】
なお、可動腕１５を水平固定腕８に対して水平状態になるように戻した場合、前記小係合鍔４５ｂは下方の係止リング４８ｂの内側に潜り込む。このように構成しても、第１実施例と同一の目的を達成することができる。
【００５１】
ところで、第５実施例に於いても、第４実施例で説明したように被係合部、係合突起軸等の位置を逆にしても良い。また、第１及び第２の傾斜面に嵌合凹所３１Ａ，３３Ａを形成しないで、嵌合板３２Ａ，３４Ａを直接固定しても良い。さらに、前記嵌合凹所３１Ａ，３３Ａ及び嵌合板３２Ａ，３４Ａを用いないで、第１及び第２の傾斜面１１，１７に、直接被係合部、係合突起軸等をそれぞれ設けても良い。
【００５２】
加えて、この実施例では、第２嵌合板３４Ａの円形部４７，４７内に係止リング４８ａ，４８ｂがそれぞれ固定的に嵌め込まれているが、係合手段４５の小係合鍔４５ｂを半円弧状の案内規制部４６内に係止状態に嵌め込むことができる構成（例えば案内規制部４６の一部分に小係合鍔嵌め込用切欠部を連通状態に形成する。）を採用する場合には、発明の本質的部分ではない。
【００５３】
したがって、このような実施例では、係止リング４８ａ，４８ｂを用いる必要がないから、前記係合手段４５の小係合鍔４５ｂを、前記案内規制部４６の両端部に選択的に係止させる。
【００５４】
【発明の効果】
以上の説明から明らかなように、本発明にあっては、次に列挙するような効果がある。
（１）紙切り板を有しないシンプルな構造のトイレットペーパーホルダーにも適用することができる。
（２）回動腕を所定角度まで回すだけで良いから、簡単な操作でトイレットペーパーの装着並びに保持ができる。
（３）水平固定腕と回動腕とを、中心軸と中心穴或いは係合部と被係合部との係合関係等の合理的な構造により、一体的に組み合わせることができる。
（４）水平固定腕の自由端部に水平状態に結合された回動腕を直交状態になるように回転することができる。したがって、第１及び第２傾斜面の周縁部が互いに食み出さないので、外観上の美観を損なわない。
【図面の簡単な説明】
図１乃至図６は本発明の第１実施例を示す各説明図。図７乃至図１４は本発明の他の実施例を示す各説明図である。
【図１】トイレットペーパーホルダー（片持ち支持棒も含む）の概略説明図。
【図２】片持ち支持棒の要部を示す概略断面説明図。
【図３】片持ち支持棒の要部を示す分解斜視図。
【図４】トイレットペーパーをホルダーに装着する場合の説明図。
【図５】片持ち支持棒でトイレットペーパーを保持する場合の説明図。
【図６】片持ち支持棒でトイレットペーパーを保持した場合の説明図。
【図７】第２実施例の片持ち支持棒の要部を示す概略断面説明図。
【図８】片持ち支持棒の要部を示す分解斜視図。
【図９】第３実施例の片持ち支持棒の要部を示す概略断面説明図。
【図１０】片持ち支持棒の要部を示す分解斜視図。
【図１１】第４実施例の片持ち支持棒の要部を示す概略断面説明図。
【図１２】片持ち支持棒の要部を示す分解斜視図。
【図１３】第５実施例の片持ち支持棒の要部を示す概略断面説明図。
【図１４】片持ち支持棒の要部を示す分解斜視図。
【符号の説明】
Ｘ〜Ｘ４…、Ｙ…トイレットペーパーホルダー、Ｚ…トイレットペーパー、１…取付け板、２…貫通小孔、３…軸受け部、４…片持ち式支持板、５…軸孔、６…紙切板、７…突起軸、８…水平固定腕、９…自由端部、１０ａ，１０ｂ…第１磁石、１１…第１傾斜面、１２，１２Ａ，１２Ｂ，１９…小凹所、１３…中心軸、１５…可動腕、１６…第２磁石、１７…第２傾斜面、１８…中心穴、２１，２４，４５…係止手段、２２，２５…係合穴、３１，３１Ａ，３３，３３Ａ…嵌合凹所、３２，３２Ａ，３４，３４Ａ…嵌合板、３５…メスホック部、３６，３７…係合突起、３８…オスホック部、３９…内側案内規制溝、４０…外側案内規制溝、４１…周溝、４２…スリット、４３…スリット、４６…案内規制溝、４７…円形溝、４８ａ，４８ｂ…係止リング。
【図１】
2004290578.tif 000003
【図２】
2004290578.tif 000004
【図３】
2004290578.tif 000005
【図４】
2004290578.tif 000006
【図５】
2004290578.tif 000007
【図６】
2004290578.tif 000008
【図７】
2004290578.tif 000009
【図８】
2004290578.tif 000010
【図９】
2004290578.tif 000011
【図１０】
2004290578.tif 000012
【図１１】
2004290578.tif 000013
【図１２】
2004290578.tif 000014
【図１３】
2004290578.tif 000015
【図１４】
2004290578.tif 000016